Podtech/llm-jp-corpus-v4-ja_patent huggingface dataset:
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
中間転写体上に形成された、活性エネルギー線の照射により硬化する成分を含むインク像に対し記録媒体を接触させることで前記インク像を前記記録媒体に転写する画像形成方法であって、
前記中間転写体上に、前記インク像を形成するために付与されたインクの移動を制限する液体を付与する工程と、
インクジェットヘッドを用い、前記液体が付与された前記中間転写体の上にインクを付与する工程と、
前記中間転写体上の前記インク像に前記記録媒体が接触している状態で、前記インク像に対し前記活性エネルギー線を照射する工程と、
を具えたことを特徴とする画像形成方法。
【手続補正２】
【補正対象書類名】明細書
【補正対象項目名】発明の名称
【補正方法】変更
【補正の内容】
【発明の名称】画像形成方法
【手続補正３】
【補正対象書類名】明細書
【補正対象項目名】０００１
【補正方法】変更
【補正の内容】
【０００１】
本発明は、画像形成方法に関し、特にインクジェット記録を適用した中間転写方式の画像形成方法に関するものである。
【手続補正４】
【補正対象書類名】明細書
【補正対象項目名】００１４
【補正方法】変更
【補正の内容】
【００１４】
そのために、本発明は、中間転写体上に形成された、活性エネルギー線の照射により硬化する成分を含むインク像に対し記録媒体を接触させることで前記インク像を前記記録媒体に転写する画像形成方法であって、
前記中間転写体上に、前記インク像を形成するために付与されたインクの移動を制限する液体を付与する工程と、
インクジェットヘッドを用い、前記液体が付与された前記中間転写体の上にインクを付与する工程と、
前記中間転写体上の前記インク像に前記記録媒体が接触している状態で、前記インク像に対し前記活性エネルギー線を照射する工程と、を具えたことを特徴とする。
【手続補正５】
【補正対象書類名】明細書
【補正対象項目名】００１５
【補正方法】削除
【補正の内容】
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
インクを吐出して記録を行う記録ヘッドと、該記録ヘッドに供給されるインクを収容するインクタンクと、該インクタンクから前記記録ヘッドをインクを供給するインク供給流路に配されたサブタンクと、該サブタンク内に圧力を付与するための圧力付与手段と、前記インクタンクと前記サブタンクとの連通・遮断を切り換える切換手段と、を備えるインクジェット記録装置において、
前記切換手段により前記インクタンクと前記サブタンクとを遮断した状態で、前記圧力付与手段により前記サブタンク内に前記インクタンク内よりも高い圧力を付与した後に、前記切換手段により前記インクタンクと前記サブタンクとを連通させることを特徴とするインクジェット記録装置。
【請求項２】
前記切換手段は、前記インク供給流路のうち、前記インクタンクと前記サブタンクとを連通させる部分に設けられ、
前記圧力発生手段によって前記サブタンク内に前記インクタンク内より高い圧力が付与された状態で、前記インクタンクと前記サブタンクとを連通させることにより、前記サブタンクから前記インク供給流路を介して前記インクタンク内へとインクを逆流させて前記インクタンク内のインクを攪拌することを特徴とする請求項１に記載のインクジェット記録装置。
【請求項３】
前記サブタンクは、前記インクタンクから前記サブタンクへのインクの流動のみを可能とする第１のインク供給流路と、前記記録ヘッドに連通する第２のインク供給流路と、前記インクタンクに連通するインク流路とに連結され、
前記切換手段は、前記第１のインク供給流路に設けられていることを特徴とする請求項１に記載のインクジェット記録装置。
【請求項４】
前記圧力付与手段は、前記サブタンクに連通する容積可変の構造体と、該構造体の容積を変化させる変更機構と、からなり、前記サブタンクと前記インクタンクとの連通を遮断した状態で、前記変更機構によって前記構造体の容積を縮めることによって前記サブタンク内に、前記インクタンク内の圧力より高い圧力を付与することを特徴とする請求項１ないし３のいずれかに記載のインクジェット記録装置。
【請求項５】
前記圧力付与手段は、前記サブタンクと前記インクタンクとを連通させた状態で、前記変更機構によって前記構造体の容積を拡大することによって前記サブタンク内に前記インクタンク内の圧力より低い圧力を付与し、前記インクタンクから前記サブタンクへとインクを供給することを特徴とする請求項４に記載のインクジェット記録装置。
【請求項６】
前記サブタンクは、一定の容積を有するサブタンクであり、
前記構造体は、一端部が前記サブタンクに連通するベローズにより構成されることを特徴とする請求項４に記載のインクジェット記録装置。
【請求項７】
前記変更機構は、付勢手段の付勢力を受けて前記ベローズの他端部を前記ベローズ内の容積を縮める方向に押圧するアームと、該アームを前記付勢手段に抗して前記ベローズの容積を拡大する方向に移動させ得るカムと、を備えることを特徴とする請求項５に記載のインクジェット記録装置。
【請求項８】
前記記録ヘッドのインク吐出口から前記記録ヘッド内のインクまたは空気を吸引可能な吸引手段を、さらに備え、
前記吸引手段によって前記記録ヘッド内のインクまたは空気を吸引することによって記録ヘッド内に負圧を発生させ、前記記録ヘッド内に前記サブタンク内のインクを充填させることを特徴とする請求項１ないし７のいずれかに記載のインクジェット記録装置。
【請求項９】
インクジェット記録装置に搭載される記録ヘッドに供給するインクを収容したインクタンク内のインクを攪拌するインク攪拌方法であって、
前記インクタンクとインクを収納するサブタンクとの連通、遮断を切換える切換工程と、
前記切換工程によって前記サブタンクと前記インクタンクとの間の連通を遮断した後、前記サブタンク内に前記インクタンク内の圧力より高い圧力を付与する圧力付与工程と、を備え、
前記切換工程は、前記圧力発生手段によって前記サブタンク内に前記インクタンク内より高い圧力が付与された状態で、前記インクタンクと前記サブタンクとを連通させることを特徴とするインク攪拌方法。
【手続補正２】
【補正対象書類名】明細書
【補正対象項目名】発明の名称
【補正方法】変更
【補正の内容】
【発明の名称】インクジェット記録装置およびインク攪拌方法
【手続補正３】
【補正対象書類名】明細書
【補正対象項目名】０００１
【補正方法】変更
【補正の内容】
【０００１】
本発明は、インクを吐出する記録ヘッドに供給するインクを収納したインクタンクを備えたインクジェット記録装置に関し、特にインクタンク内のインクを攪拌する機能を有するインクジェット記録装置およびインク攪拌方法に関する。
【手続補正４】
【補正対象書類名】明細書
【補正対象項目名】００１０
【補正方法】変更
【補正の内容】
【００１０】
上記目的を達成するため、本願発明は以下の構成を有する。  
すなわち、本願発明の第１の形態は、インクを吐出して記録を行う記録ヘッドと、該記録ヘッドに供給されるインクを収容するインクタンクと、該インクタンクから前記記録ヘッドをインクを供給するインク供給流路に配されたサブタンクと、該サブタンク内に圧力を付与するための圧力付与手段と、前記インクタンクと前記サブタンクとの連通・遮断を切り換える切換手段と、を備えるインクジェット記録装置において、前記切換手段により前記インクタンクと前記サブタンクとを遮断した状態で、前記圧力付与手段により前記サブタンク内に前記インクタンク内よりも高い圧力を付与した後に、前記切換手段により前記インクタンクと前記サブタンクとを連通させることを特徴とする。
【手続補正５】
【補正対象書類名】明細書
【補正対象項目名】００１１
【補正方法】変更
【補正の内容】
【００１１】
本願発明の第２の形態は、インクジェット記録装置に搭載される記録ヘッドに供給するインクを収容したインクタンク内のインクを攪拌するインク攪拌方法であって、前記インクタンクとインクを収納するサブタンクとの連通、遮断を切換える切換工程と、前記切換工程によって前記サブタンクと前記インクタンクとの間の連通を遮断した後、前記サブタンク内に前記インクタンク内の圧力より高い圧力を付与する圧力付与工程と、を備え、前記切換工程は、前記圧力発生手段によって前記サブタンク内に前記インクタンク内より高い圧力が付与された状態で、前記インクタンクと前記サブタンクとを連通させることを特徴とする。
【手続補正書】
【提出日】平成24年9月24日(2012.9.24)
【手続補正１】
【補正対象書類名】特許請求の範囲
【補正対象項目名】全文
【補正方法】変更
【補正の内容】
【特許請求の範囲】
【請求項１】
ビタミンＢ1を１μｇ／ｍｌ以上、及び二酸化炭素をガス内圧で１．０〜４．０ｋｇ／ｃｍ２含有するビタミンＢ1に由来する不快な味および臭いが低減された内服液剤。
【請求項２】
ビタミンＢ1を１μｇ／ｍｌ以上含有する内服液剤に、二酸化炭素をガス内圧で１．０〜４．０ｋｇ／ｃｍ２含有せしめる、ビタミンＢ1内服液のビタミンＢ1に由来する不快な味および臭いの低減方法。
【手続補正２】
【補正対象書類名】明細書
【補正対象項目名】０００６
【補正方法】変更
【補正の内容】
【０００６】
すなわち、本発明は、ビタミンＢ1を１μｇ／ｍｌ以上、及び二酸化炭素をガス内圧で１．０〜４．０ｋｇ／ｃｍ２含有するビタミンＢ1に由来する不快な味および臭いが低減された内服液剤を提供するものである。
また、本発明は、ビタミンＢ1を１μｇ／ｍｌ以上含有する内服液剤に、二酸化炭素をガス内圧で１．０〜４．０ｋｇ／ｃｍ２含有せしめる、ビタミンＢ1内服液のビタミンＢ1に由来する不快な味および臭いの低減方法を提供するものである。
【手続補正３】
【補正対象書類名】明細書
【補正対象項目名】００１１
【補正方法】変更
【補正の内容】
【００１１】
本発明において、二酸化炭素の含有量は、内服液全体に対するガス内圧（単位体積中に溶解しているガス量）として、１．０〜４．０ｋｇ／ｃｍ２であるが、２．２〜３．７ｋｇ／ｃｍ２が好ましく、２．５〜３．５ｋｇ／ｃｍ２がより好ましく、３．０〜３．４ｋｇ／ｃｍ２がさらに好ましい。
ガス内圧力が１．０ｋｇ／ｃｍ２を下回ると、ビタミンＢ1に由来する不快な味や臭いの低減作用が十分得られない点で、好ましくない。
【手続補正４】
【補正対象書類名】明細書
【補正対象項目名】００２０
【補正方法】変更
【補正の内容】
【００２０】
実施例１
ビタミンＢ1を含有する内服液剤および比較液剤の製造：ビタミンＢ1（硝酸塩）０．４ｇ、１ｇ、２ｇ、１０ｇそれぞれを精製水４０Ｌに溶解し、脱気処理を行った。次に、得られたそれぞれの溶液、または、脱気を行った精製水の８Lを耐圧容器に取り、二酸化炭素をガス内圧でそれぞれ、１．２ｋｇ／ｃｍ２、２．２ｋｇ／ｃｍ２、３．２ｋｇ／ｃｍ２になるように調整して圧入した。この液を洗浄した褐色ガラスビンに充填し、キャッピングしたものを内服液剤とした。
【手続補正５】
【補正対象書類名】明細書
【補正対象項目名】００２４
【補正方法】変更
【補正の内容】
【００２４】
【表１】
2010143894.tif 000001
【手続補正６】
【補正対象書類名】明細書
【補正対象項目名】００２５
【補正方法】変更
【補正の内容】
【００２５】
【表２】
2010143894.tif 000002
【手続補正７】
【補正対象書類名】明細書
【補正対象項目名】００２６
【補正方法】変更
【補正の内容】
【００２６】
実施例２
ビタミンＢ1及びＢ2を含有する内服液剤および比較液剤の製造：ビタミンＢ1（硝酸塩）とビタミンＢ2（リン酸エステル）それぞれを０．４ｇづつ合計０．８ｇ、１ｇづつ合計２ｇ、２ｇづつ合計４ｇ、１０ｇづつ合計２０ｇを精製水４０Ｌに溶解し、脱気処理を行った。次に、得られたそれぞれの溶液、または、脱気を行った精製水の８Lを耐圧容器に取り、二酸化炭素を、ガス内圧が３．２ｋｇ／ｃｍ２になるように調整して圧入した。この液を洗浄した褐色ガラスビンに充填し、キャッピングしたものを内服液剤とした。
【手続補正８】
【補正対象書類名】明細書
【補正対象項目名】００２９
【補正方法】変更
【補正の内容】
【００２９】
【表３】
2010143894.tif 000003
【手続補正９】
【補正対象書類名】明細書
【補正対象項目名】００３０
【補正方法】変更
【補正の内容】
【００３０】
【表４】
2010143894.tif 000004
【手続補正１０】
【補正対象書類名】明細書
【補正対象項目名】００３１
【補正方法】変更
【補正の内容】
【００３１】
ビタミンＢ1及びＢ6を含有する内服液剤および比較液剤の製造：ビタミンＢ1（硝酸塩）とビタミンＢ6（塩酸塩）それぞれを０．４ｇづつ合計０．８ｇ、１ｇづつ合計２ｇ、２ｇづつ合計４ｇ、１０ｇづつ合計２０ｇを精製水４０Ｌに溶解し、脱気処理を行った。次に、得られたそれぞれの溶液、または、脱気を行った精製水の８Lを耐圧容器に取り、二酸化炭素をガス内圧を３．２ｋｇ／ｃｍ2になるように調整して圧入した。この液を洗浄した褐色ガラスビンに充填し、キャッピングしたものを内服液剤とした。
【手続補正１１】
【補正対象書類名】明細書
【補正対象項目名】００３４
【補正方法】変更
【補正の内容】
【００３４】
【表５】
2010143894.tif 000005
【手続補正１２】
【補正対象書類名】明細書
【補正対象項目名】００３５
【補正方法】変更
【補正の内容】
【００３５】
【表６】
2010143894.tif 000006
【手続補正１３】
【補正対象書類名】明細書
【補正対象項目名】００３６
【補正方法】変更
【補正の内容】
【００３６】
ビタミンＢ1、Ｂ2及びＢ6を含有する内服液剤および比較液剤の製造：ビタミンＢ1（硝酸塩）、ビタミンＢ2（リン酸エステル）、ビタミンＢ6（塩酸塩）それぞれを０．４ｇづつ合計１．２ｇ、１ｇづつ合計３ｇ、２ｇづつ合計６ｇ、１０ｇづつ合計３０ｇを精製水４０Ｌに溶解し、脱気処理を行った。次に、得られたそれぞれの溶液、または、脱気を行った精製水の８Lを耐圧容器に取り、二酸化炭素を、ガス内圧が３．２ｋｇ／ｃｍ2になるように調整して圧入した。この液を洗浄した褐色ガラスビンに充填し、キャッピングしたものを内服液剤とした。
【手続補正１４】
【補正対象書類名】明細書
【補正対象項目名】００３８
【補正方法】変更
【補正の内容】
【００３８】
【表７】
2010143894.tif 000007
【手続補正１５】
【補正対象書類名】明細書
【補正対象項目名】００３９
【補正方法】変更
【補正の内容】
【００３９】
【表８】
2010143894.tif 000008
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
ヒトのケラチン繊維を明色化または着色するための、以下:
a)1種または複数の脂肪性物質、1種または複数の界面活性剤、モノエタノールアミン並びに1種または複数の塩基性アミノ酸を含有する無水組成物(A)、
b)1種または複数の酸化剤を含有する水性組成物(B)
を使用する方法。
【請求項２】
1種または複数の酸化染料及び／または直接染料を含有する組成物(C1)を使用することを特徴とする、請求項１に記載の方法。
【請求項３】
脂肪性物質が、C6〜C16低級アルカン、動物、植物、鉱物または合成由来の非シリコーン油、脂肪アルコール、脂肪酸、脂肪酸および/または脂肪アルコールのエステル、非シリコーンワックスおよびシリコーン、またはこれらの混合物から選択されることを特徴とする、請求項1または2に記載の方法。
【請求項４】
脂肪性物質が、C6〜C16の低級アルカン、植物、鉱物または合成に由来する非シリコーン油、脂肪アルコール、脂肪酸および/または脂肪アルコールのエステル、あるいはこれらの混合物から選択されることを特徴とする、請求項3に記載の方法。
【請求項５】
脂肪性物質が、室温及び大気圧下で、液状である化合物から選択される、請求項1から4のいずれか一項に記載の方法。
【請求項６】
脂肪性物質の含有量が、無水組成物(A)の重量に対して、10重量%から99重量%であることを特徴とする、請求項1から5のいずれか一項に記載の方法。
【請求項７】
無水組成物(A)が、少なくとも1つの非イオン性界面活性剤を含有することを特徴とする、請求項1から6のいずれか一項に記載の方法。
【請求項８】
無水組成物(A)が、モノオキシアルキレン化またはポリオキシアルキレン化された、モノグリセロール化またはポリグリセロール化された非イオン性界面活性剤から選択される非イオン性界面活性剤を含有することを特徴とする、請求項7に記載の方法。
【請求項９】
界面活性剤の含有量が、無水組成物(A)の重量に対して、0.1重量%から50重量%であることを特徴とする、請求項8に記載の方法。
【請求項１０】
塩基性アミノ酸が以下の式(I):
【化１】
2010143920.tif 000001
[式中、Rは、以下:
【化２】
2010143920.tif 000002
から選択される基を表す]
の化合物から選択されることを特徴とする、請求項1から9のいずれか一項に記載の方法。
【請求項１１】
塩基性アミノ酸が、アルギニン、ヒスチジンおよびリジン、またはそれらの混合物から選択されることを特徴とする、請求項10に記載の方法。
【請求項１２】
モノエタノールアミンの含有量が、組成物(B)の重量に対して、0.1重量%から40重量%であることを特徴とする、請求項1から11のいずれか一項に記載の方法。
【請求項１３】
塩基性アミノ酸の含有量が、組成物(A)の重量に対して、0.1重量%から40重量%であることを特徴とする、請求項1から12のいずれか一項に記載の方法。
【請求項１４】
モノエタノールアミン/塩基性アミノ酸の重量比が0.1から10の範囲であることを特徴とする、請求項1から13のいずれか一項に記載の方法。
【請求項１５】
使用時に組成物(A)、(B)および(C1)をその場で混合することにより得られる組成物をケラチン繊維に適用することを特徴とする、請求項1から14のいずれか一項に記載の方法。
【請求項１６】
組成物(A)および(B)および(C1)を、合間にすすぎをすることなく、連続的にケラチン繊維に適用することを特徴とする、請求項1から14のいずれか一項に記載の方法。
【請求項１７】
第1の区画に、請求項1及び3から14のいずれか一項に規定の無水組成物(A)を、別の区画に、1種または複数の酸化剤を含有する組成物(B)を備える、多区画デバイス。
【請求項１８】
第1の区画に、請求項1から14のいずれか一項に規定の無水組成物(A)を、第2の区画に、請求項1に規定の組成物(B)、並びに第3の区画に、1種または複数の酸化剤を含有する水性組成物(C1)を備える、多区画デバイス。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
酸化剤の存在下でヒトのケラチン繊維を着色または明色化する方法であって、
以下の(a)、(b)、(c):
(a)1種または複数の脂肪と1種または複数の界面活性剤とを含む無水化粧品組成物(A)、
(b)1種または複数の酸化剤を含む組成物(B)、
(c)1種または複数の無機塩基を含む組成物(C)
を前記繊維に施用する方法。
【請求項２】
組成物(C)が、1種もしくは複数の酸化染料及び/または1種もしくは複数の直接染料を含むことを特徴とする、請求項1に記載の方法。
【請求項３】
脂肪が、C6〜C16低級アルカン、動物性、植物性、鉱物性または合成由来の非シリコーン油、脂肪アルコール、脂肪酸、脂肪酸及び/または脂肪アルコールのエステル、非シリコーンロウ、シリコーンまたはこれらの混合物から選択されることを特徴とする、請求項1または2のいずれか一項に記載の方法。
【請求項４】
脂肪が、C6〜C16低級アルカン、鉱物性または合成由来の非シリコーン油、脂肪アルコール、脂肪酸及び/または脂肪アルコールのエステル、シリコーンまたはこれらの混合物から選択されることを特徴とする、請求項1から3のいずれか一項に記載の方法。
【請求項５】
脂肪が、流動パラフィン、ポリデセン、脂肪酸または脂肪アルコールの液体エステルまたはこれらの混合物から選択されることを特徴とする、請求項1から4のいずれか一項に記載の方法。
【請求項６】
脂肪含有量が、組成物(A)の質量に対して、10から99質量%の間にあることを特徴とする、請求項1から5のいずれか一項に記載の方法。
【請求項７】
組成物(A)中に存在する界面活性剤が、非イオン性界面活性剤であることを特徴とする、請求項1から6のいずれか一項に記載の方法。
【請求項８】
組成物(A)中に存在する界面活性剤が、モノ-またはポリアルコキシル化した、モノ-またはポリグリセロール化した非イオン性界面活性剤であることを特徴とする、請求項1から7のいずれか一項に記載の方法。
【請求項９】
界面活性剤の含有量が、無水組成物(A)の質量に対して、0.1〜50質量%を占めることを特徴とする、請求項8に記載の方法。
【請求項１０】
無機塩基が、以下の構造:
(Z1X-)m(Z2y+)n
(式中、
Z2は、元素周期表の1から13族の金属を意味し、
Z1x-は、CO32-、OH-、HCO32-、SiO32-、HPO42-、PO43-、B4O72-のイオンから選択されるアニオンを意味し、
xは、1、2または3を意味し、
yは、1、2、3または4を意味し、
m及びnは、互いに独立して、1、2、3または4を意味し、n.y=m.x.である)
を有することを特徴とする、請求項1から9のいずれか一項に記載の方法。
【請求項１１】
無機塩基が、炭酸ナトリウム、炭酸カリウム、水酸化ナトリウム、水酸化カリウム、メタケイ酸ナトリウム、メタケイ酸カリウムから選択されることを特徴とする、請求項1から10のいずれか一項に記載の方法。
【請求項１２】
無機塩基が、アルカリ金属炭酸塩から選択されることを特徴とする、請求項1から11のいずれか一項に記載の方法。
【請求項１３】
無機塩基が、組成物(B)の質量に対して、0.01から30質量%を占めることを特徴とする請求項1から12のいずれか一項に記載の方法。
【請求項１４】
組成物(A)、(B)及び(C)が、逐次的に、及び中間濯ぎを入れないで施用されることを特徴とする、請求項1から13のいずれか一項に記載の方法。
【請求項１５】
組成物(A)及び(C)の施用前の混合により得られる組成物、次いで酸化組成物(B)が、逐次的に、及び中間濯ぎを入れないで施用されることを特徴とする、請求項1から13のいずれか一項に記載の方法。
【請求項１６】
組成物(A)、(B)及び(C)を施用前に用時混合することにより得られる組成物が、施用されることを特徴とする、請求項1から13のいずれか一項に記載の方法。
【請求項１７】
組成物の量の質量比R1(A)+(C)/(B)及び組成物の量の質量比R2(A)/(C)が、0.1から10の間で変動することを特徴とする、請求項1から16のいずれか一項に記載の方法。
【請求項１８】
第1の区画が、請求項1及び3から9の一項に記載の無水組成物(A)を含有し、第2の区画が、1種または複数の酸化剤を含む組成物(B)を含有し、第3の区画が、1種または複数の無機塩基を含む、請求項1及び10から13の一項に記載の組成物(C)を含有する、いくつかの区画を含むキット。
【請求項１９】
組成物(C)が、1種もしくは複数の酸化染料及び/または1種もしくは複数の直接染料を含むことを特徴とする、請求項18に記載のキット。
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
ヒトのケラチン繊維を着色または明色化するための、以下:
a)1種または複数の脂肪性物質および1種または複数の界面活性剤を含有する無水組成物(A)、
b)モノエタノールアミンおよび1種または複数の塩基性アミノ酸を含有する組成物(B)
c)1種または複数の酸化剤を含有する組成物(C)
を使用する方法であって、方法が染色方法であるとき、無水組成物(A)は、有機アミンを含有せず、組成物(B)は1種または複数の酸化染料および/または直接染料を含有する方法。
【請求項２】
脂肪性物質が、C6〜C16低級アルカン、植物、鉱物または合成由来の非シリコーン油、脂肪アルコール、脂肪酸および/または脂肪アルコールのエステル、ならびにシリコーンから選択されることを特徴とする、請求項1に記載の方法。
【請求項３】
脂肪性物質の含有量が、無水組成物(A)の重量に対して、10重量%から99重量%であることを特徴とする、請求項1または2に記載の方法。
【請求項４】
脂肪性物質の含有量が、無水組成物(A)の重量に対して、20重量%から90重量%であることを特徴とする、請求項1〜3のいずれか一項に記載の方法。
【請求項５】
無水組成物(A)が、少なくとも1つの非イオン性界面活性剤を含有することを特徴とする、請求項1から4のいずれか一項に記載の方法。
【請求項６】
無水組成物(A)が、モノオキシアルキレン化またはポリオキシアルキレン化された、モノグリセロール化またはポリグリセロール化された非イオン性界面活性剤から選択される非イオン性界面活性剤を含有することを特徴とする、請求項1から5のいずれか一項に記載の方法。
【請求項７】
界面活性剤の含有量が、無水組成物(A)の重量に対して、0.1重量%から50重量%であることを特徴とする、請求項5または6に記載の方法。
【請求項８】
塩基性アミノ酸が以下の式(I):
【化１】
2010143918.tif 000001
[式中、Rは、以下:
【化２】
2010143918.tif 000002
から選択される基を表す]
の化合物から選択されることを特徴とする、請求項1から7のいずれか一項に記載の方法。
【請求項９】
塩基性アミノ酸が、アルギニン、ヒスチジンおよびリジン、またはそれらの混合物から選択されることを特徴とする、請求項8に記載の方法。
【請求項１０】
モノエタノールアミンの含有量が、組成物(B)の重量に対して、0.1重量%から40重量%であることを特徴とする、請求項1から9のいずれか一項に記載の方法。
【請求項１１】
塩基性アミノ酸の含有量が、組成物(B)の重量に対して、0.1重量%から40重量%であることを特徴とする、請求項1から10のいずれか一項に記載の方法。
【請求項１２】
モノエタノールアミン/塩基性アミノ酸の重量比が0.1から10であることを特徴とする、請求項1から11のいずれか一項に記載の方法。
【請求項１３】
使用時に組成物(A)、(B)および(C)をその場で混合することにより得られる組成物をケラチン繊維に適用することを特徴とする、請求項1から12のいずれか一項に記載の方法。
【請求項１４】
組成物(A)、(B)および(C)を、組成物(A)、次いで(B)、その次に(C)の順または組成物(B)、次いで(A)、その次に(C)の順で、合間にすすぎをすることなく、連続的にケラチン繊維に適用することを特徴とする、請求項1から12のいずれか一項に記載の方法。
【請求項１５】
組成物(C)、次いで組成物(A)および(B)から得られる混合物を、合間にすすぎをすることなく、連続的にケラチン繊維に適用することを特徴とする、請求項1から12のいずれか一項に記載の方法。
【請求項１６】
組成物(A)+(B)/(C)の量の重量比R1および組成物(A)/(B)の量の重量比R2が0.1から10であることを特徴とする、請求項1から15のいずれか一項に記載の方法。
【請求項１７】
第1の区画に、請求項1から7のいずれか一項に規定の無水組成物(A)を、第2の区画に請求項1または8から12のいずれか一項に規定の組成物(B)を、第3の区画に1種または複数の酸化材を含有する水性組成物を備える多区画デバイス。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
ヒトのケラチン繊維を染色または明色化するための組成物であって、化粧品上許容される媒体中に、
(a)少なくとも25重量%の、脂肪酸とは異なる1種または複数の脂肪物質;
(b)少なくとも10モルで80モル以下のエチレンオキシドを含む、１重量％から１０重量％までの１種または複数の非イオン性界面活性剤;
(c)酸化染料および直接染料、またはそれらの混合物から選択される1種または複数の染料;1種または複数の塩基性化剤;あるいはそれらの混合物;
(d)少なくとも1種の酸化剤
を含むことを特徴とする組成物。
【請求項２】
脂肪物質が、室温および大気圧で液体またはペースト状である化合物から選択されることを特徴とする、請求項1に記載の組成物。
【請求項３】
脂肪物質が、C6〜C16低級アルカン、植物、鉱物または合成起源の非シリコーン油、脂肪アルコール、脂肪酸および/または脂肪アルコールのエステル、あるいはそれらの混合物から選択される、請求項1または2に記載の組成物。
【請求項４】
脂肪物質の含量が、組成物の重量に対して25重量%から80重量%の範囲であることを特徴とする、請求項1から3のいずれか一項に記載の組成物。
【請求項５】
非イオン性界面活性剤が、単独でまたは混合物として、以下の化合物:
・オキシエチレン化（C8〜C24）アルキルフェノール
・飽和または不飽和の、直鎖状または分枝の、オキシエチレン化C8〜C30アルコール
・飽和または不飽和の、直鎖状または分枝の、オキシエチレン化C8〜C30アミド
・飽和または不飽和の、直鎖状または分枝の、C8〜C30酸とポリエチレングリコールとのエステル
・飽和または不飽和の、直鎖状または分枝の、C8〜C30酸とソルビトールとのポリオキシエチレン化エステル
・エチレンオキシドのモル数が少なくとも10で80までである飽和または不飽和のオキシエチレン化植物油
から選択されることを特徴とする、請求項1から4のいずれか一項に記載の組成物。
【請求項６】
非イオン性界面活性剤の含量が組成物の重量に対して1重量％から8重量％の間であることを特徴とする、請求項1から5のいずれか一項に記載の組成物。
【請求項７】
酸化染料として、パラ-フェニレンジアミン、ビス(フェニル)アルキレンジアミン、パラ-アミノフェノール、オルト-アミノフェノールおよび複素環ベース、ならびにそれらの付加塩から選択される1種または複数の酸化ベースを含むことを特徴とする、請求項1から6のいずれか一項に記載の組成物。
【請求項８】
メタ-フェニレンジアミン、メタ-アミノフェノール、メタ-ジフェノール、ナフタレン系カップラーおよび複素環式カップラー、ならびにまたそれらの付加塩から選択される1種または複数のカップラーを含むことを特徴とする、請求項1から7のいずれか一項に記載の組成物。
【請求項９】
直接染料として、イオン性または非イオン性アゾ染料;メチン染料;カルボニル染料;アジン染料;ニトロ(ヘテロ)アリール染料;トリ(ヘテロ)アリールメタン染料;ポルフィリン染料;フタロシアニン染料;および天然直接染料を、単独でまたは混合物として含むことを特徴とする、請求項1から8のいずれか一項に記載の組成物。
【請求項１０】
アンモニア水、アルカリ金属炭酸塩または重炭酸塩、水酸化ナトリウム、水酸化カリウム、および25℃でのpKbが12未満である有機アミンから選択される、1種または複数の塩基性化剤を含むことを特徴とする請求項1から9のいずれか一項に記載の組成物。
【請求項１１】
有機アミンがアルカノールアミンであることを特徴とする請求項10に記載の組成物。
【請求項１２】
有機アミンがモノエタノールアミンであることを特徴とする請求項11に記載の組成物。
【請求項１３】
有機アミンが塩基性アミノ酸から選択されることを特徴とする請求項10または11に記載の組成物。
【請求項１４】
請求項1から13のいずれか一項に記載の組成物が適用されることを特徴とするヒトのケラチン繊維を染色するための方法。
【請求項１５】
一方の区画に1種または複数の脂肪物質、酸化染料および直接染料もしくはそれらの混合物から選択される1種または複数の染料を含む第1の組成物;他方の区画に、1種または複数の酸化剤を含む第2の組成物を含む2区画装置であって、10モルから80モル未満のエチレンオキシドを含むポリオキシエチレン化非イオン性界面活性剤が第1の組成物および／または第2の組成物中に存在し、任意選択の塩基性化剤がまた第1の組成物および／または第2の組成物中に存在し;2区画の組成物がヒトのケラチン繊維への適用直前に一緒に混合され、請求項1から13のいずれか一項に記載の組成物を与えることが意図される2区画装置。
【請求項１６】
1つの区画に1種または複数の脂肪物質を含む第1の組成物、もう1つの区画に酸化染料および直接染料またはそれらの混合物から選択される1種または複数の染料;1種または複数の塩基性化剤;あるいはそれらの混合物を含む第2の組成物;最後の区画に1種または複数の酸化剤を含む第3の組成物を含む3区画装置であって、10モルから80モル未満のエチレンオキシドを含むポリオキシエチレン化非イオン性界面活性剤が第1、第2および／または第3の組成物中に存在し;3つの区画の組成物がヒトのケラチン繊維への適用直前に混合され、請求項1から13のいずれか一項に記載の組成物を与えることが意図される3区画装置。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
ケラチン繊維を淡色化するための方法であって、
(a)無水組成物(A)であって、前記無水組成物の全質量に対して20質量%を超える量の1つまたは複数の脂肪物質、1つまたは複数の界面活性剤、ならびに有機アミン、有機アミン塩及びアンモニウム塩から選択される1つまたは複数のアルカリ剤を含む、無水組成物(A)、
(b)1つまたは複数の酸化剤を含む組成物(B)
を使用する方法。
【請求項２】
無水組成物(A)が、無水組成物(A)の質量に対して40質量%から80質量%の脂肪物質を含むことを特徴とする、請求項1に記載の方法。
【請求項３】
脂肪物質が、室温及び大気圧で液体の化合物から選択されることを特徴とする、請求項1または2に記載の方法。
【請求項４】
脂肪物質が、C6〜C16アルカン、非オキシアルキレン化脂肪アルコール、脂肪酸、脂肪酸エステル、脂肪アルコールエステル、炭素原子が16個を超える鉱油、植物油、動物油または合成非シリコーン油、シリコーン及び非シリコーンワックスから選択されることを特徴とする、請求項1または2に記載の方法。
【請求項５】
脂肪物質が、液化石油ゼリー、ポリデセン及び脂肪酸もしくは脂肪アルコールの液体エステル、またはそれらの混合物から選択されることを特徴とする、請求項1から4のいずれか一項に記載のプロセス。
【請求項６】
無水組成物(A)が、1つまたは複数の非イオン界面活性剤を含むことを特徴とする、請求項1から5のいずれか一項に記載の方法。
【請求項７】
無水組成物(A)が、モノオキシアルキレン化またはポリオキシアルキレン化、及びモノグリセロール化またはポリグリセロール化非イオン界面活性剤から選択される1つまたは複数の非イオン界面活性剤を含むことを特徴とする、請求項6に記載の方法。
【請求項８】
有機アミンが、アルカノールアミン、ならびにアルギニン、ヒスチジン及びリシンまたはそれらの混合物から選択される塩基性アミノ酸であることを特徴とする、請求項1から7のいずれか一項に記載の方法。
【請求項９】
有機アミンが、2-アミノ-2-メチル-1-プロパノール、モノエタノールアミンまたはそれらの混合物、ならびにアルギニン、ヒスチジン及びリシンまたはそれらの混合物から選択される塩基性アミノ酸であることを特徴とする、請求項8に記載の方法。
【請求項１０】
無水組成物が、1つまたは複数の結合性または非結合性セルロースエーテルを含むことを特徴とする、請求項1から9のいずれか一項に記載の方法。
【請求項１１】
無水組成物が、1つまたは複数の水溶性溶媒を含むことを特徴とする、請求項1から10のいずれか一項に記載の方法。
【請求項１２】
無水組成物が、無水水中油可溶性溶媒直接エマルジョンである、請求項11に記載の方法。
【請求項１３】
水性組成物(B)が、過酸化水素、過酸化尿素、アルカリ金属の臭素酸塩またはフェリシアン化物、及び過酸化塩、ならびにアルカリ金属またはアルカリ土類金属の過炭酸塩から選択される1つまたは複数の酸化剤を含むことを特徴とする、請求項1から12のいずれか一項に記載の方法。
【請求項１４】
水性組成物(B)が、組成物の全質量に対して、20質量%を超える水を含む、請求項1から13のいずれか一項に記載の方法。
【請求項１５】
使用時に無水組成物(A)と組成物(B)を用時混合することによって得られる組成物をケラチン物質に施用することを特徴とする、請求項1から14のいずれか一項に記載の方法。
【請求項１６】
無水組成物(A)及び水性組成物(B)を連続的に、中間洗浄を含めずにケラチン物質に施用し、施用の順序は重要でないことを特徴とする、請求項1から14のいずれか一項に記載の方法。
【請求項１７】
ケラチン物質が、ヒトの髪であることを特徴とする、請求項1から16のいずれか一項に記載の方法。
【請求項１８】
第1の区画に請求項1から12の一項に記載の無水組成物(A)を含み、別の区画に請求項13または14に規定される水性組成物(B)を含む、多区画デバイス。
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
ケラチン物質を染色するための方法であって、少なくとも
(a)1つの無水組成物(A)であって、無水組成物の全質量の20質量%を超える量の1つまたは複数の脂肪物質、1つまたは複数の界面活性剤、1つまたは複数のアルカリ剤、酸化染料及び直接染料から選択される1つまたは複数の着色または着色性化学種を含む、無水組成物(A)、
(b)1つまたは複数の酸化剤を含む組成物(B)を、
該組成物が、着色または着色性化学種として、1つまたは複数の直接染料のみを含むときに、脂肪物質の含有量が、該無水組成物の全質量の40から80質量%である条件で使用する工程を含む方法。
【請求項２】
無水組成物(A)が、無水組成物の質量に対して40質量%から80質量%の脂肪物質を含むことを特徴とする、請求項1に記載の方法。
【請求項３】
脂肪物質が、室温及び大気圧で液体である化合物から選択されることを特徴とする、請求項1及び2のいずれか一項に記載の方法。
【請求項４】
脂肪物質が、C6〜C16アルカン、脂肪アルコール、脂肪酸、脂肪酸エステル、脂肪アルコールエステル、炭素原子数が16個を超える鉱油、非シリコーン植物油、動物油または合成油、シリコーン及び非シリコーンワックスから選択されることを特徴とする、請求項1から3のいずれか一項に記載の方法。
【請求項５】
脂肪物質が、液化石油ゼリー、ポリデセン、液体脂肪アルコールもしくは脂肪酸のエステル、またはそれらの混合物から選択されることを特徴とする、請求項1から4のいずれか一項に記載の方法。
【請求項６】
無水組成物(A)が、モノオキシアルキレン化またはポリオキシアルキレン化、モノグリセロール化またはポリグリセロール化非イオン界面活性剤から選択される1つまたは複数の非イオン界面活性剤を含むことを特徴とする、請求項1から5のいずれか一項に記載の方法。
【請求項７】
アルカリ剤が、有機アミン、無機塩基、有機アミン塩及びアンモニウム塩から選択されることを特徴とする、請求項1から6のいずれか一項に記載の方法。
【請求項８】
有機アミンが、アルカノールアミンまたはそれらの混合物、ならびにアルギニン、ヒスチジン及びリシンまたはそれらの混合物から選択される塩基性アミノ酸であることを特徴とする、請求項7に記載の方法。
【請求項９】
無水組成物が、1つまたは複数の結合性または非結合性セルロースエーテルを含むことを特徴とする、請求項1から8のいずれか一項に記載の方法。
【請求項１０】
無水組成物が、無水直接水中油可溶性溶媒エマルジョンである、請求項1から9のいずれか一項に記載の方法。
【請求項１１】
酸化染料が、パラ-フェニレンジアミン、ビス(フェニル)アルキレンジアミン、パラ-アミノフェノール、オルト-アミノフェノール、複素環式塩基及びそれらの付加塩、メタ-フェニレンジアミン、メタ-アミノフェノール、メタ-ジフェノール、ナフタレン系カップラー、複素環式カップラー、ならびにそれらの付加塩から選択される、請求項1から10のいずれか一項に記載の方法。
【請求項１２】
直接染料が、単独または混合物としてのアゾ;メチン;カルボニル;アジン;ニトロ(ヘテロ)アリール;トリ(ヘテロ)アリールメタン;ポリフィリン;フタロシアニン直接染料、及び天然直接染料から選択される、請求項1から11のいずれか一項に記載の方法。
【請求項１３】
水性組成物(B)が、過酸化水素、過酸化尿素、アルカリ金属の臭素酸塩またはフェリシアン化物、及び過酸化塩、例えば、アルカリ金属またはアルカリ土類金属の過硫酸塩、ペルボレート、過酸及びそれらの前駆体、ならびに過炭酸塩から選択される1つまたは複数の酸化剤を含むことを特徴とする、請求項1から12のいずれか一項に記載の方法。
【請求項１４】
水性組成物(B)が、組成物の全質量に対して、20質量%を超える水を含む、請求項1から13のいずれか一項に記載の方法。
【請求項１５】
使用時に無水組成物(A)と組成物(B)を用時混合することによって得られる組成物をケラチン物質に施用することを特徴とする、請求項1から14のいずれか一項に記載の方法。
【請求項１６】
無水組成物(A)及び水性組成物(B)を、任意の順序で、連続的に、中間濯ぎを含めずにケラチン物質に施用することを特徴とする、請求項1から13のいずれか一項に記載の方法。
【請求項１７】
第1の区画に請求項1から11のいずれか一項に定義の無水組成物(A)を含み、別の区画に請求項12及び13のいずれかに定義の水性組成物(B)を含む多区画デバイス。
【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
車両用シート（１）のヘッドレスト（３）の位置調整装置（２０）であって、
垂直方向に互いに間隔を隔てて配置された少なくとも３個の送信電極（３１ａ〜３１ｅ）と１個の共同受信電極（３２）とを有しヘッドレスト（３）に組入れ可能であるか組み入れられた容量式近接センサ（２１）と、ヘッドレスト（３）を車両用シート（１）に関して垂直方向に自動変位調整するための昇降アクチュエータ（２２）と、制御装置（２４）とを有し、該制御装置（２４）が、交番電界（Ｆ）を送信するために送信電極（３１ａ〜３１ｅ）を制御し、受信電極（３２）で検出された電気受信信号（Ｓi）から、各送信電極（３１ａ〜３１ｅ）と受信電極（３２）との間に形成されたキャパシタンスについての情報を含むそれぞれ関連キャパシタンス測定量（Ｃi）を決定し、およびそのキャパシタンス測定量（Ｃi）に応じて、乗員（５）の頭部位置に関してヘッドレスト（３）を垂直方向目標位置（ｈs）に置くために昇降アクチュエータ（２２）を制御するように設定されていることを特徴とする車両用シート（１）のヘッドレスト（３）の位置調整装置（２０）。
【請求項２】
制御装置（２４）が、少なくとも３個の送信電極（３１ａ〜３１ｅ）を時間的にシーケンシャルに制御するように設定されていることを特徴とする請求項１に記載の位置調整装置（２０）。
【請求項３】
車両用シート（１）のヘッドレスト（３）の位置調整装置（２０）であって、
垂直方向に互いに間隔を隔てて配置された少なくとも３個の受信電極（６０ａ〜６０ｅ）と１個の共同送信電極（６１）とを有しヘッドレスト（３）に組入れ可能であるか組み入れられた容量式近接センサ（２１）と、ヘッドレスト（３）を車両用シート（１）に関して垂直方向に自動変位調整するための昇降アクチュエータ（２２）と、制御装置（２４）とを有し、該制御装置（２４）が、交番電界（Ｆ）を送信するために送信電極（６１）を制御し、各受信電極（６０ａ〜６０ｅ）でそれぞれ検出された電気受信信号（Ｓi）から、各受信電極（６０ａ〜６０ｅ）と送信電極（６１）との間に形成されたキャパシタンスについての情報を含むそれぞれ関連キャパシタンス測定量（Ｃi）を決定し、およびそのキャパシタンス測定量（Ｃi）に応じて、乗員（５）の頭部位置に関してヘッドレスト（３）を垂直方向目標位置（ｈs）に置くために昇降アクチュエータ（２２）を制御するように設定されていることを特徴とする車両用シート（１）のヘッドレスト（３）の位置調整装置（２０）。
【請求項４】
全送信電極（３１ａ〜３１ｅ）が共同受信電極（３２）に対して、ないしは全受信電極（６０ａ〜６０ｅ）が共同送信電極（６１）に対して同じ距離を有していることを特徴とする請求項１ないし３のいずれか１つに記載の位置調整装置（２０）。
【請求項５】
共同受信電極（３２）ないし共同送信電極（６１）が、主に全送信電極（３１ａ〜３１ｅ）ないし全受信電極（６０ａ〜６０ｅ）で占められたヘッドレスト表面の垂直方向範囲にわたって延びる垂直方向に細長い少なくとも１つの電極域（３５）で形成されていることを特徴とする請求項４に記載の位置調整装置（２０）。
【請求項６】
少なくとも３個の各送信電極（３１ａ〜３１ｅ）ないし各受信電極（６０ａ〜６０ｅ）が、垂直方向において同じ位置に置かれ水平方向において互いに間隔を隔てられた２つの電極域（３６、３７）を有し、その両電極域（３６、３７）間を共同受信電極（３２）ないし共同送信電極（６１）が延びていることを特徴とする請求項５に記載の位置調整装置（２０）。
【請求項７】
少なくとも３個の送信電極（３１ａ〜３１ｅ）ないし受信電極（６０ａ〜６０ｅ）のうちのそれぞれ２個が、乗員（５）の頭部（４）が垂直方向目標位置（ｈs）において使用目的通りにぶつかるヘッドレスト（３）の中心の上下に対称に配置され、制御装置（２４）が、前記両送信電極（３１ｂ、３１ｄ）に関連するキャパシタンス測定量（Ｃ2、Ｃ4）の比較によって少なくとも１つの第３キャパシタンス測定量（Ｃ3）を補助的に考慮に入れて目標位置（ｈs）の到達を認識するように設定されていることを特徴とする請求項１ないし６のいずれか１つに記載の位置調整装置（２０）。
【請求項８】
制御装置（２４）が、ヘッドレスト（３）の目標位置（ｈs）への接近中に昇降アクチュエータ（２２）の変位移動速度（ｄv）を連続してあるいは数段階で低下するように設定されていることを特徴とする請求項１ないし７のいずれか１つに記載の位置調整装置（２０）。
【請求項９】
近接センサ（２１）が垂直方向に互いに間隔を隔てて配置された５個以上の送信電極（３１ａ〜３１ｅ）ないし受信電極（６０ａ〜６０ｅ）を有し、制御装置（２４）が、隣り合う送信電極（３１ａ、３１ｂ；３１ｂ、３１ｃ）ないし受信電極（６０ａ、６０ｂ、６０ｂ、６０ｃ）に関連するキャパシタンス測定量（Ｃ1、Ｃ2；Ｃ2、Ｃ3）が値的に交差したときに昇降アクチュエータ（２２）の変位移動速度（ｄv）を段階づけて低下するように設定されていることを特徴とする請求項８に記載の位置調整装置（２０）。
【請求項１０】
制御装置（２４）が、キャパシタンス測定量（Ｃ3）が極値を超過したときに昇降アクチュエータ（２２）の変位移動速度（ｄv）を低下するように設定されていることを特徴とする請求項８又は９に記載の位置調整装置（２０）。
【請求項１１】
制御装置（２４）が、ヘッドレスト（３）の全変位調整範囲（Ｖ、Ｈ）において頭部位置が検出されないときにヘッドレスト（３）の位置を記憶された標準目標位置（ｈ2/3）に置くように設定されていることを特徴とする請求項１ないし１０のいずれか１つに記載の位置調整装置（２０）。
【請求項１２】
ヘッドレスト（３）を水平方向に変位調整するための前後アクチュエータ（２３）を有し、制御装置（２４）が、垂直方向目標位置（ｈs）の到達後に少なくとも１つのキャパシタンス測定量（Ｃ3）と記憶されたしきい値（Ｃh）との比較に応じてヘッドレスト（３）を水平方向目標位置（Ｌｓ）に置くために前後アクチュエータ（２３）を制御するように設定されていることを特徴とする請求項１ないし１１のいずれか１つに記載の位置調整装置（２０）。
【請求項１３】
制御装置（２４）が、水平方向目標位置（Ｌs）に調整するために関係するヘッドレスト水平方向位置（Ｌ）のキャパシタンス測定量（Ｃ3）のシステム依存性を数値的に補償するように設定されていることを特徴とする請求項１２に記載の位置調整装置（２０）。
【請求項１４】
制御装置（２４）が、水平方向目標位置（Ｌs）に調整するために関係するキャパシタンス測定量（Ｃ3）を数値的に補償するためにヘッドレスト水平方向位置（Ｌ）に関して記憶されたシステム特性曲線（Ｋ）に標準化するように設定されていることを特徴とする請求項１３に記載の位置調整装置（２０）。
【請求項１５】
制御装置（２４）が、水平方向目標位置（Ｌs）への接近中に前後アクチュエータ（２３）の変位移動速度（ｄH）を連続してあるいは数段階で低下するように設定されていることを特徴とする請求項１２ないし１４のいずれか１つに記載の位置調整装置（２０）。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
原稿を積載するための昇降する原稿トレイと、
前記原稿トレイに原稿が載置されたことを検出する原稿検知センサと、
前記原稿トレイを、原稿積載を待機する待機位置と原稿給送が可能な給送位置との間で上昇及び下降させる駆動手段と、
前記原稿トレイが前記給送位置にある状態で原稿の給送を行う給送手段と、
前記給送手段による原稿の給送を伴う処理の開始を指示するスタートキーと、
前記処理の条件を設定するための操作キーと、
第１のモードと第２のモードの一方を選択する選択手段と、
前記第１のモードでは前記原稿トレイに原稿が載置されていることが前記原稿検知センサにより検出されている状態で前記操作キーの押下には応答しないが、前記スタートキーの押下には応答して前記原稿トレイを上昇させ、前記第２のモードでは前記原稿トレイに原稿が載置されていることが前記原稿検知センサにより検出されている状態で前記スタートキーと前記操作キーの何れの押下にも応答して前記原稿トレイを上昇させる制御手段と、
を有することを特徴とする原稿給送装置。
【請求項２】
前記原稿の給送を伴う処理は、前記原稿の画像を読み取る処理を含むことを特徴とする請求項１記載の原稿給送装置。
【請求項３】
前記待機位置は原稿が前記原稿トレイに積載されていないときに下降している位置であることを特徴とする請求項１記載の原稿給送装置。
【請求項４】
前記選択手段による選択状態は、前記処理の終了後も維持されることを特徴とする請求項１記載の原稿給送装置。
【請求項５】
原稿を積載するための昇降する原稿トレイと、
前記原稿トレイに原稿が載置されたことを検出する原稿検知センサと、
前記原稿トレイを、原稿積載を待機する待機位置と原稿給送が可能な給送位置との間で上昇及び下降させる駆動手段と、
前記原稿トレイが前記給送位置にある状態で原稿の給送を行う給送手段と、
原稿の給送を伴う処理の開始を指示するスタートキーと、
前記スタートキーとは別に設けられ、前記処理の準備のために操作される操作部材と、
第１のモードと第２のモードの一方を選択する選択手段と、
前記第１のモードでは前記原稿トレイに原稿が載置されていることが前記原稿検知センサにより検出されている状態で前記操作部材の操作には応答しないが、前記スタートキーの押下には応答して前記原稿トレイを上昇させ、前記第２のモードでは前記原稿トレイに原稿が載置されていることが前記原稿検知センサにより検出されている状態で前記スタートキーの押下と前記操作部材の操作の何れにも応答して前記原稿トレイを上昇させる制御手段と、
を有することを特徴とする原稿給送装置。
【手続補正２】
【補正対象書類名】明細書
【補正対象項目名】０００７
【補正方法】変更
【補正の内容】
【０００７】
上記の課題を解決するために、本発明の原稿給送装置は、原稿を積載するための昇降する原稿トレイと、前記原稿トレイに原稿が載置されたことを検出する原稿検知センサと、前記原稿トレイを、原稿積載を待機する待機位置と原稿給送が可能な給送位置との間で上昇及び下降させる駆動手段と、前記原稿トレイが前記給送位置にある状態で原稿の給送を行う給送手段と、前記給送手段による原稿の給送を伴う処理の開始を指示するスタートキーと、前記処理の条件を設定するための操作キーと、第１のモードと第２のモードの一方を選択する選択手段と、前記第１のモードでは前記原稿トレイに原稿が載置されていることが前記原稿検知センサにより検出されている状態で前記操作キーの押下には応答しないが、前記スタートキーの押下には応答して前記原稿トレイを上昇させ、前記第２のモードでは前記原稿トレイに原稿が載置されていることが前記原稿検知センサにより検出されている状態で前記スタートキーと前記操作キーの何れの押下にも応答して前記原稿トレイを上昇させる制御手段と、を有することを特徴とする。
【手続補正３】
【補正対象書類名】明細書
【補正対象項目名】０００８
【補正方法】変更
【補正の内容】
【０００８】
また、本発明の原稿給送装置は、原稿を積載するための昇降する原稿トレイと、前記原稿トレイに原稿が載置されたことを検出する原稿検知センサと、前記原稿トレイを、原稿積載を待機する待機位置と原稿給送が可能な給送位置との間で上昇及び下降させる駆動手段と、前記原稿トレイが前記給送位置にある状態で原稿の給送を行う給送手段と、原稿の給送を伴う処理の開始を指示するスタートキーと、前記スタートキーとは別に設けられ、前記処理の準備のために操作される操作部材と、第１のモードと第２のモードの一方を選択する選択手段と、前記第１のモードでは前記原稿トレイに原稿が載置されていることが前記原稿検知センサにより検出されている状態で前記操作部材の操作には応答しないが、前記スタートキーの押下には応答して前記原稿トレイを上昇させ、前記第２のモードでは前記原稿トレイに原稿が載置されていることが前記原稿検知センサにより検出されている状態で前記スタートキーの押下と前記操作部材の操作の何れにも応答して前記原稿トレイを上昇させる制御手段と、を有することを特徴とする